(57)【要約】      （修正有）【課題】トークンを保護しつつこれを確実に収納、保持することができ、機械的な封入作業を良好に行えるトークンケースを提供する。【解決手段】トークン１１を保持する、台紙から構成されたトークンケース１であって、台紙が折り返されることにより、互いに対向配置される天面部２ａおよび底面部２ｃを有する、トークン収納部２と、底面部２ｃからトークン収納部２の外部に向けて、底面部２ｃに沿って延設された張出部３と、張出部３と折り曲げ可能に隣接する蓋部４と、を備え、天面部２ａは、トークン１１を保持するための保持孔５を有することを特徴とする。【選択図】図１
2020152026.tif 000002
【特許請求の範囲】
【請求項１】
トークンを保持する、台紙から構成されたトークンケースであって、
台紙が折り返されることにより、互いに対向配置される天面部および底面部を有する、トークン収納部と、
前記底面部から前記トークン収納部の外部に向けて、当該底面部に沿って延設された張出部と、
前記張出部と折り曲げ可能に隣接する蓋部と、を備え、
前記天面部は、トークンを保持するための保持孔を有することを特徴とする、
トークンケース。
【請求項２】
前記天面部および前記底面部は、互いに離隔して対向配置され、
前記トークン収納部は、互いに離隔して対向配置され、前記天面部および前記底面部のそれぞれと隣接する、第１側面部および第２側面部と、をさらに有する、請求項１に記載のトークンケース。
【請求項３】
前記保持孔には、前記トークンの前記天面部の面方向に沿った移動を規制する第１の規制片が設けられている、請求項１または２に記載のトークンケース。
【請求項４】
前記保持孔には、前記トークンの前記天面部の面方向に垂直な方向に沿った移動を規制する第２の規制片が設けられている、請求項１から３のいずれか一項に記載のトークンケース。
【請求項５】
前記トークン収納部は、略一定厚さの板状部材に前記保持孔が形成され、折り曲げられたものである、請求項１から４のいずれか一項に記載のトークンケース。
【請求項６】
前記板状部材の厚さの値は前記トークンの厚さの値以下であり、かつ、前記天面部から前記底面部に至る最大距離の値が、前記トークンの厚さの値以上である、請求項５に記載のトークンケース。
【請求項７】
前記張出部および前記蓋部は、前記蓋部が前記保持孔の少なくとも一部を覆うように前記蓋部を前記張出部に対して折り曲げたとき、前記折り曲げの軸線方向から見ると前記蓋部は前記張出部に対して鋭角に折り曲げられている、請求項１から６のいずれか一項に記載のトークンケース。
【請求項８】
前記トークン収納部には、前記トークンを前記トークン収納部に着脱する際の指を入れるための、前記保持孔と連続する取出孔がさらに設けられている、請求項１から７のいずれか一項に記載のトークンケース。
【請求項９】
前記トークンが請求項１から８のいずれか一項に記載のトークンケースを含む、封入物が封入された封筒。
【請求項１０】
フラップが上方となるように前記封筒を配置したとき、当該封筒の下端から当該フラップの下端までの距離の値は、当該封筒の下端から、当該封筒に封入されている前記トークンケースの前記トークン収納部の上端までの距離の値よりも小さい、請求項９に記載のトークンケースを含む、封入物が封入された封筒。
【発明の詳細な説明】
【技術分野】
【０００１】
本発明は、カード形状や異形状のトークンを収納、保持するためのトークンケースおよびトークンケースを含む封入物が封入された封筒に関する。
【背景技術】
【０００２】
昨今、利用者がキャッシュカードを持参して銀行のＡＴＭ機等で振り込み、振り替え処理や残高確認処理を行うことに代えて、自宅のインターネット環境で同様の処理を実行することができるインターネットバンキングが普及しつつある。インターネットバンキングでは、利用者の認証機能を強化するため、可変のパスワードが表示される専用のトークンをあらかじめ銀行側が利用者に送付しておく。利用者はインターネットバンキングを利用する際に、銀行側のシステムと時刻等に連動して同一アルゴリズムの暗号処理を行うトークンに表示されたパスワードをネットワークを経由して銀行側システムに送信する。銀行側のシステムは、当該パスワードが自身と同一アルゴリズムで生成されたものであることを確認することによって、利用者が真正であることを認証し、取引処理を開始する。
【０００３】
このようなトークンは、クレジットカードやキャッシュカード等と同様、カード発行業者が、専用のトークンケースに収納、保持して封筒に入れられ、各利用者向けに発送されることが多い。ところで、カード発行業者がクレジットカード等を各利用者向けに発送する場合は、特許文献１のように、薄手の台紙の一方の面にカードを剥離可能な接着剤等で貼り付けた後、台紙ごと他の書面と一緒に封筒に封入され封緘される。一方、トークンは、厚さが一般的なカードの厚さである０．８ｍｍ程度よりも厚い場合が多く、例えば、１ｍｍ程度から５ｍｍ程度まで様々なものがある。このような厚手のトークンを、カード台紙を流用したトークンケースに収納、保持して封筒に封入する方法が、例えば、特許文献２に記載されている。当該文献によると、厚さが３ｍｍのパスワードカードを厚さが１ｍｍの台紙を折り込んで台紙３枚が重ねられた状態とし、重ねた台紙部分に共通の貫通孔が設けられている。これにより、この貫通孔に当該パスワードカードを嵌め込んで収納、保持することとしている。
【先行技術文献】
【特許文献】
【０００４】
【特許文献１】特開２００３−２５７７０号公報
【特許文献２】特開２０１６−３０４３０号公報
【発明の概要】
【発明が解決しようとする課題】
【０００５】
トークンの厚さに合わせてカード台紙を重ねる等してトークンケースの厚さを増した場合、トークンケースがトークンと略同一の厚さとなることにより、トークンの保護効果は得られる。しかし、トークンケースを封筒に封入する一般的な封入封緘機は、カード台紙をクランプ冶具（爪）で挟んで封筒内に移送する構造のものが多く、通常の台紙よりも厚いトークンケースを良好に封筒内に移送するためには、爪を交換したり爪の開き量を調整する等の調整が必要となる。このように、通常のカードとトークンとの品種切り替えをするたびに、機械的調整や条件出しを行う必要があることから、作業負荷や切り替え時間のロスが大きくなるという問題があった。
【０００６】
また、このような機械的調整や条件出しを避けるため、カードと同様に薄手の台紙の一方の面にトークンを貼り付ける方法も考えられる。しかしこの場合、台紙の厚さに比べてトークンが厚くなり、トークンに対する、封筒に入れた後の台紙による保護機能がないため、封筒の移送中にトークンを損傷してしまうおそれがあった。また、製造現場でトークンとトークンケースを入れた封筒を、発送準備のために積み重ねたときに厚みの不均一によって封筒が傾斜し、封筒の束が崩れてしまうおそれがあった。
【０００７】
本開示はこのような状況に鑑みてなされたものであり、トークンを保護しつつこれを確実に収納、保持することができ、機械的な封入作業を良好に行えるトークンケースおよびトークンケースを含む封入物が封入された封筒を提供することを課題とする。
【課題を解決するための手段】
【０００８】
本実施の形態によるトークンケースは、トークンを保持する、台紙から構成されたトークンケースであって、台紙が折り返されることにより、互いに対向配置される天面部および底面部を有する、トークン収納部と、前記底面部から前記トークン収納部の外部に向けて、当該底面部に沿って延設された張出部と、前記張出部と折り曲げ可能に隣接する蓋部と、を備え、前記天面部は、トークンを保持するための保持孔を有することを特徴とする、トークンケースである。
保持孔を有し、前記蓋部を前記張出部に対して折り曲げたとき、前記蓋部は前記保持孔の少なくとも一部を覆うことができる。
【０００９】
また、本実施の別の形態によるトークンケースにおいて、前記天面部および前記底面部は、互いに離隔して対向配置され、前記トークン収納部は、互いに離隔して対向配置され、前記天面部および前記底面部のそれぞれと隣接する、第１側面部および第２側面部と、をさらに有してもよい。
【００１０】
また、本実施の別の形態によるトークンケースにおいて、前記保持孔には、前記トークンの前記天面部の面方向に沿った移動を規制する第１の規制片が設けられていてもよい。
【００１１】
また、本実施の別の形態によるトークンケースにおいて、前記保持孔には、前記トークンの前記天面部の面方向に垂直な方向に沿った移動を規制する第２の規制片が設けられていてもよい。
【００１２】
また、本実施の別の形態によるトークンケースにおいて、前記トークン収納部は、略一定厚さの板状部材に前記保持孔が形成され、折り曲げられたものであってもよい。
【００１３】
また、本実施の別の形態によるトークンケースにおいて、前記板状部材の厚さの値は前記トークンの厚さの値以下であり、かつ、前記天面部から前記底面部に至る最大距離が、前記トークンの厚さの値以上であってもよい。
【００１４】
また、本実施の別の形態によるトークンケースにおいて、前記張出部および前記蓋部は、前記蓋部が前記保持孔の少なくとも一部を覆うように前記蓋部を前記張出部に対して折り曲げたとき、前記折り曲げの軸線方向から見ると前記蓋部は前記張出部に対して鋭角に折り曲げられていてもよい。
【００１５】
また、本実施の別の形態によるトークンケースにおいて、前記トークン収納部には、前記トークンを前記トークン収納部に着脱する際の指を入れるための、前記保持孔と連続する取出孔がさらに設けられていてもよい。
【００１６】
また、本実施の別の形態によるトークンケースを含む、封入物が封入された封筒は、前記トークンが前記トークンケースに保持されてもよい。
【００１７】
また、本実施の別の形態によるトークンケースを含む、封入物が封入された封筒は、フラップが上方となるように前記封筒を配置したとき、当該封筒の下端から当該フラップの下端までの距離の値は、当該封筒の下端から、当該封筒に封入されている前記トークンケースの前記トークン収納部の上端までの距離の値よりも小さくてもよい。
【発明の効果】
【００１８】
本実施の形態によれば、トークンを保護しつつこれを確実に収納、保持することができ、機械的な封入作業を良好に行えるトークンケースおよびトークンケースを含む封入物が封入された封筒を提供することができる。
【図面の簡単な説明】
【００１９】
【図１】第１実施形態のトークンケースの構造を説明する斜視図である。
【図２】展開された第１実施形態のトークンケースの平面図である。
【図３】組み立てられた第１実施形態のトークンケースの平面図および断面図である。
【図４】封入封緘工程を説明する模式図である。
【図５】封入済封筒を積み上げた状態を説明する断面図である。
【図６】展開された第２実施形態のトークンケースの平面図である。
【図７】第２実施形態のトークンケースの構造を説明する斜視図である。
【図８】展開された第３実施形態のトークンケースの平面図である。
【図９】第３実施形態のトークンケースの構造を説明する斜視図である。
【発明を実施するための形態】
【００２０】
以下、図面等を参照して、本開示のトークンケースの一例について説明する。ただし、本開示のトークンケースは、以下に説明する実施形態や実施例には限定されない。
【００２１】
なお、以下に示す各図は、模式的に示したものである。そのため、各部の大きさ、形状、断面図における各層の厚さ等は理解を容易にするために、適宜誇張している。また、各図において、部材の断面を示すハッチングを適宜省略する。本明細書中に記載する各部材の寸法等の数値および材料名は、実施形態としての一例であり、これに限定されるものではなく、適宜選択して使用することができる。本明細書において、形状や幾何学的条件を特定する用語、例えば平行や直交、垂直等の用語については、厳密に意味するところに加え、実質的に同じ状態も含むものとする。また、説明の便宜上、上方または下方等という語句を用いて説明することがあるが、上下方向が逆転してもよく、左右方向についても同様とする。また、上下左右斜めの方向を説明しやすくするために、Ｘ、Ｙ、Ｚ軸で説明する場合もある。
【００２２】
１．第１実施形態
本開示のトークンケースの第１実施形態について説明する。図１は、第１実施形態のトークンケース１の一例を示す斜視図である。図２は、トークンケース１を展開した状態の平面図である。また、図３は、トークンケース１を組み立てた状態の平面図および断面図である。図３（ａ）は、組み立てられ、蓋部４の開いたトークンケース１を図１におけるトークン１１の取り付け方向である上方から下方に向かって見た平面図であり、図３（ｂ）が、図３（ａ）のＡ−Ａ断面について見た断面図であり、図３（ｃ）が、図３（ｂ）と同様の断面図で蓋部４を閉じた状態を示す図である。以下、トークン１１およびトークンケース１の詳細を説明する。
【００２３】
（ａ）トークンの構成
本実施形態のトークン１１は略直方体状のカード形状をしており、その一方の面に表示部１２と複数の操作ボタン１３とを備えるものである。寸法は縦が概ね７０ｍｍ、横が概ね４５ｍｍ、厚さが概ね３ｍｍである。トークン自体には現状、特に決まった規格はなく、これ以外の寸法のカード形状のもの、および、カード形状とは無関係な異形状のタイプも多数存在する。
【００２４】
利用者が当該トークン１１の特定の操作ボタン１３を押すことにより、表示部１２にパスワードを表示させることができる。これは操作するタイミングによって時々刻々と変化するワンタイムパスワードである。これを読み取った利用者が、インターネットバンキングの取引画面において当該パスワードを入力することにより、銀行側システムが利用者の真正性を確認することができ、確認後に取引が実行可能となる。
【００２５】
（ｂ）トークンケースの構成
図１および図２に示すように、本実施形態のトークンケース１は通常のカード用の送付台紙に使用される紙の一部を立体的に組み立てたものである。使用できる台紙の厚さの範囲は、後述する封入封緘機２０の構成にもよるが、封入封緘機２０が扱える厚みを考慮し、０．０５ｍｍ以上かつ１．５ｍｍ以下であることが好ましい。本実施形態の台紙厚さは、０．１２ｍｍである。図１には、トークンケースの配置を基準として左右、上下、斜め手前、斜め奥方向をそれぞれ表す、Ｘ１、Ｘ２、Ｚ２、Ｚ１、Ｙ１、Ｙ２の軸を一緒に示す。図２およびそれ以外の図についても、図１の座標軸に対応する座標軸を必要に応じて設ける。トークンケース１のうち、見かけ上、トークンの厚さと略同一の厚さを有する部分が略直方体状のトークン収納部２である。トークン収納部２は台紙が、図２の紙面に垂直なＺ軸方向（Ｚ２、Ｚ１方向）にそれぞれ離隔して対向配置された天面部２ａと底面部２ｃとを有し、さらに天面部２ａおよび底面部２ｃの左右方向（Ｘ１、Ｘ２方向）の端部には、それぞれ天面部２ａおよび底面部２ｃの端部と隣接する右側の第１側面部２ｂと、左側の第２側面部２ｄとを有している。
【００２６】
トークン収納部２の左側（Ｘ１側）の側面である第２側面部２ｄに沿って、トークン収納部２の外側に向けて底面部２ｃが延設された部位であり、平面視で帯状の略長方形である張出部３が設けられている。トークン収納部２は、図１のように組み立てた際に、第１側面部２ｂおよび第２側面部２ｄによって上下方向の見かけの厚さが増しており、少なくとも天面部２ａおよび底面部２ｃの厚さの合計よりも厚くなっているが、張出部３は台紙１枚分の厚さしかない。
【００２７】
さらに、張出部３に隣接したトークン収納部２とは反対側（Ｘ１側）の領域に当該張出部３が延設された部位であり、平面視で略長方形である蓋部４が設けられている。張出部３および蓋部４は連続した１枚の台紙に折線部４ａが設けられることにより区画化されたものである。蓋部４は、張出部３に対して折線部４ａを軸線としてＸ２側へ折り曲げることができ、その結果、蓋部４をトークン収納部２の天面部２ａに近接または当接させることができる。
【００２８】
また、トークン収納部２の天面部２ａの一部には、トークン１１を収納、保持するための保持孔５が設けられ、さらにこれと連続する孔として取出孔７が設けられている。保持孔５は、トークン１１の外周の形状に合わせてその輪郭形状を定めることにより、トークン１１を収納した場合に、振動等によってトークンケース１に対してずれることを抑制するものである。さらに、利用者がトークン収納部２からトークン１１を取り出すときに、指を入れる隙間として取出孔７を設けておけば、トークン１１の側面を触りながら上に押し上げることでトークン１１の取り出しが容易となる。
【００２９】
ただし、取出孔７の領域を大きめに設けてしまうと、トークン１１がトークン収納部２に対してずれるおそれが高まるため、移送する際に保持できない可能性がある。例えば図１〜図３に示すように、トークン１１の略長方形の外周において、特定の一辺に隣接するように、円弧状の輪郭線を外周に含む取出孔７をトークン収納部２の天面部２ａに設けることができる。このようにしても、トークン収納部２に収納されたトークン１１が取出孔７の方向にずれるおそれがあるため、例えば図１のように、トークン１１とトークンケース１とをシール９で着脱可能に接着してもよい。なお、取出孔７はここでは円弧上のものを示しているが、上記に記すようにトークン１１の外周の形状に合わせてその輪郭形状を定めることができ、矩形状等であってもよい。
【００３０】
また、保持孔５の第２側面部２ｄ側（Ｘ１側）かつ取出孔７から遠い側（Ｙ１側）の位置と、これと斜め向かいとなる保持孔５の第１側面部２ｂ側（Ｘ２側）かつ取出孔７に近い側（Ｙ２側）の位置とに、トークン１１の天面部２ａの面方向に垂直な方向（Ｚ軸方向）に沿った移動を規制し、トークン１１の飛び出しを抑制するための複数の表面規制片６が設けられている。表面規制片６はどのような形状のものでも構わないが、本実施形態では円弧状の輪郭を有する、保持孔５の隅を部分的に塞ぐような形状、配置としている。このような表面規制片６を適宜設けることにより、トークン１１をトークンケース１に収納した後の封筒への封入封緘工程や配達途中で不用意にトークンケース１からトークン１１が脱落し損傷する危険性を低減できる。
【００３１】
（ｃ）トークンケースの組み立て
次に、トークンケース１の組み立て方法について説明し、トークン１１の保持構造および保護の効果について説明する。まず、図２に示すように、トークンケース１を展開すると、上述した厚さで略長方形の平面を有する１枚のカード用の送付台紙となる。すなわち、トークンケース１は、このような略一定厚さの板状部材の台紙に保持孔５および取出孔７が連続的な孔形状として切り抜き加工等によって形成され、折り曲げられて形成されている。
【００３２】
また、このような板状部材の台紙の厚さの値は、トークン１１の厚さの値よりも小さく、かつ、天面部２ａから底面部２ｃに至る最大距離の値が、トークン１１の厚さの値以上となることが好ましい。この場合、板状部材の台紙の厚さを十分薄くすることができるとともに、トークン収納部２にトークン１１を収納した際に、トークン収納部２からトークン１１が飛び出さないため、トークンケース１を封筒に入れて保管、移送する際のトークン１１の保護効果が高く、トークン１１を損傷させる危険性を低減できるからである。
【００３３】
また、この保持孔５には、トークン１１を収納した後、当該トークン１１が、トークン収納部２の天面部２ａと底面部２ｃとの間に入り込んでずれてしまうことがないよう、トークン１１を保持孔５に差し込んだときにトークン１１の外周を構成する４側面のうち、取出孔７と対向しない３側面を側方から支える複数の側面規制片８が凸部として形成されている。図２では、保持孔５の第２側面部２ｄ側（Ｘ１側）に第１側面規制片８ｂおよび第１下面規制片８ａが互いに隣接した一つの凸部を形成しており、保持孔５の第１側面部２ｂ側（Ｘ２側）に第２側面規制片８ｄおよび第２下面規制片８ｃが互いに隣接した一つの凸部を形成している。さらには、保持孔５の取出孔７と対向する側（Ｙ１側）には第３側面規制片８ｆおよび第３下面規制片８ｅが互いに隣接した一つの凸部を形成している。
【００３４】
ここで、保持孔５の第２側面部２ｄ側（Ｘ１側）に配置される第１側面規制片８ｂの第２側面部２ｄ側の付け根部分を、図２の手前側から台紙を見たときに、一点鎖線沿いに山折りし、第１下面規制片８ａと第１側面規制片８ｂとの隣接部を破線沿いに谷折りする。これにより、図３（ａ）、（ｂ）に示すように、第１下面規制片８ａと第１側面規制片８ｂとが略直角に折れ曲がり、組み立て状態の断面視で略Ｌ字状の構造となる。また、保持孔５の第１側面部２ｂ側に配置される第２側面規制片８ｄの第１側面部２ｂ側（Ｘ２側）の付け根部分を一点鎖線沿いに山折りし、第２下面規制片８ｃと第２側面規制片８ｄとの隣接部を破線沿いに谷折りとする。さらに、第３側面規制片８ｆの付け根部分を一点鎖線沿いに山折りし、第３下面規制片８ｅと第３側面規制片８ｆとの隣接部を破線沿いに谷折りとする。これにより、同様の断面視で同じように略Ｌ字状の構造を得ることができる。なお、第１側面規制片８ｂ〜第３側面規制片８ｆおよび第１下面規制片８ａ〜第３下面規制片８ｅのすべてを側面規制片８と称することができる。
【００３５】
次に、図２において、トークン収納部２に該当する隣接する５区画である糊代部２ｅ、第１側面部２ｂ、天面部２ａ、第２側面部２ｄおよび底面部２ｃを、図２の紙面の手前側（Ｚ２側）から台紙を見たときに、破線沿いに谷折りすることによって、天面部２ａおよび底面部２ｃが互いに略平行に離隔した状態で対向する配置となる。同様に、第１側面部２ｂおよび第２側面部２ｄも互いに略平行に離隔した状態で対向する配置となる。ただし、天面部２ａおよび底面部２ｃは、必ずしも互いにＺ軸に沿って離隔していなくてもよく、全体的にトークン１１の厚さと同等の厚さが確保できるのであれば、天面部２ａおよび底面部２ｃは互いに当接する配置であってもよい。また、糊代部２ｅは、図３（ｂ）に示すとおり底面部２ｃと重なり、糊代部２ｅおよび底面部２ｃは、例えば接着剤等により接着固定される。
【００３６】
上記により、トークン収納部２は、トークン１１を収納した場合の厚さ方向（Ｚ軸方向）について第１側面部２ｂおよび第２側面部２ｄが、底面部２ｃおよび天面部２ａを離隔する構成となる。また、トークン収納部２がトークン１１の厚みとほぼ同程度の見かけの厚みを有することにより、トークン１１がトークン収納部２の天面部２ａよりも上方に飛び出すことが抑制され、トークン１１の保持効果および保護効果を向上させることができる。
【００３７】
また、図３（ｂ）に示すように、保持孔５には、トークン１１の配置時の側面方向（Ｚ軸方向）に第１側面規制片８ｂおよび第２側面規制片８ｄが配置されているため、トークン１１の天面部２ａの面方向に沿った左右方向（Ｙ軸方向）の移動を規制することができる。また、当該第１側面規制片８ｂ自体および当該第２側面規制片８ｄ自体が左右方向に変形することを抑制するため、これと略Ｌ字形状に隣接し底面部２ｃと当接する第１下面規制片８ａおよび第２下面規制片８ｃが配置されている。
【００３８】
これらの第１下面規制片８ａおよび第２下面規制片８ｃは、底面部２ｃと接着剤で接着固定されていてもよいが、されていなくてもよい。底面部２ｃと接着されていなくても、第１下面規制片８ａおよび第２下面規制片８ｃは、底面部２ｃとの間に摩擦力を発生させ、第１下面規制片８ａおよび第２下面規制片８ｃの変形を極力抑制できるからである。
【００３９】
このようにして組み立てられたトークンケース１は、図３（ｃ）に示すように、蓋部４を、折線部４ａを軸線として折り曲げることにより、トークン収納部２の保持孔５の少なくとも一部を覆うことができる。最終的に利用者にトークンを発送する場合は、トークン１１を収納したトークンケース１の蓋部４を折り曲げて、トークン収納部２の保持孔５に収納されたトークン１１を覆うことができる。その状態でトークンケース１を封筒に封入することにより、トークン１１は、その表面側が蓋部４により保護され、裏面側はトークン収納部２によって保護されるため、トークン１１入りの封筒を保管、配達する間にトークン１１を損傷させてしまう危険性を低減できる。
【００４０】
また、このとき折り曲げられた蓋部４と、張出部３およびこれと一体化して隣接するトークン収納部２とは、折線部４ａの軸線方向（Ｙ軸方向）から断面視したときに、折線部４ａを頂点とし張出部３と蓋部４とがなすトークンケース１の内角が鋭角を形成する。トークンケース１は、張出部３および蓋部４が折線部４ａの軸線（Ｙ軸）に沿って内角が鋭角となるような鋭角部２ｆをその先端に有している。
【００４１】
このことは、後述するように、折り畳まれたトークンケース１を封筒に封入するピックアップの工程において有利に作用する。なお、トークン１１が収納され、蓋部４が閉じられたトークンケース１には、図４（ｃ）に示すように、蓋部４の先端部とトークン収納部２とをシール９ａで接着固定してもよい。
【００４２】
なお、後述する封入部によるトークンケース１のピックアップ適性を考慮した場合、組み立て状態のトークン収納部２の天面部２ａから底面部２ｃに至る最大距離（すなわち、第１側面部２ｂまたは第２側面部２ｄのＺ１側の末端からＺ２側の末端までの高さの高い方）が、４．０ｍｍ以下である場合には、張出部３の、底面部２ｃのＸ１−Ｘ２において沿う幅を１０．０ｍｍ以上かつ３０．０ｍｍ以下とすることが好ましい。また、当該最大距離が、４．０ｍｍよりも大きく６．０ｍｍ以下である場合には、張出部３の底面部２ｃのＸ１−Ｘ２において沿う幅を１５．０ｍｍ以上かつ４０．０ｍｍ以下とすることが好ましい。張出部３の幅が当該範囲内であることにより、封入部の機械的調整をしなくても良好にトークンケース１をピックアップすることができ、かつ、封入後の封筒を積み上げたときの封筒束の傾斜と、フラップ（封筒の糊代部分、フタとも呼ばれる）の接着不良とを抑制することができる。
【００４３】
（ｄ）トークンケースの封入封緘工程
次に、トークン１１がトークンケース１に収納された後の、封筒に封入されるまでの工程について説明する。図４は本実施形態におけるトークンケースを封入封緘する工程を説明する図である。図４（ａ）は、封入封緘機２０の一例を示す概略構成図であり、図４（ｂ）は工程の流れを説明する模式図であり、図４（ｃ）は、工程Ｂにおける封入物のピックアップ機構の説明図である。なお、図４（ｃ）については、図１のトークンケース１の配置に対する座標系の関係と同じになるような座標系が表示されている。
【００４４】
（ｉ）封入物の準備および移送
図４（ａ）に示すように、封入封緘機２０には、あらかじめ封入したい封入物を各々の供給部に積み重ねてセットしておく必要がある。例えば、本実施形態のトークン１１が収納されたトークン収納済トークンケース３１を台紙供給部２３に積み重ねてセットする。同様に、一緒に封入したい説明書等をそれぞれの供給部に積み重ねてセットする。例えば、第１封入物３２および第２封入物３３を、それぞれ第１封入物供給部２４および第２封入物供給部２５にセットする。
【００４５】
次に、台紙供給部２３の下端部からトークン収納済トークンケース３１が１部、ピックアップ機構２３ａによってＸ１側に取り出され、コンベア構造の第１搬送部２１に搭載され、Ｙ１側に移送される（工程Ｂ）。その後、第１封入物供給部２４から第１封入物３２が１部、台紙供給部２３と同様の機構により取り出され、第１搬送部２１を移送中のトークン収納済トークンケース３１の上に重ねられ、Ｙ１側に移送される（工程Ｃ）。さらに、第２封入物供給部２５から第２封入物３３が１部、上記と同様の機構によって取り出され、第１搬送部２１を移送中の第１封入物３２の上に重ねられ、Ｙ１側に移送される（工程Ｄ）。
【００４６】
ここで、工程Ｂにおける、台紙供給部２３の下端部からトークン収納済トークンケース３１を１部、引き抜くピックアップ機構２３ａは、図４（ｃ）で模式的に示すように、１箇所または複数箇所の爪部２３ｂが開閉することによってトークン収納済トークンケース３１をクランプし、移送させる仕組みが一般的である。なお、トークン収納済トークンケース３１は工程Ｂにおけるものと上述しているが、これに限られることはなく、工程Ｃまたは工程Ｄにおいてトークンケース３１をセットしてもよい。これにより、チラシと重ねる順番等を適宜好適に設定することができる。図４（ｃ）では、ピックアップ機構２３ａに引き抜かれるときには、Ｚ２側にトークン１１の表示部１２や操作ボタン１３が備わる面がくるようにしている。つまり、工程Ｂにトークンケース３１がセットされる際にはこの向きとなるようにセットされる。この向きが後述する封入済封筒の積み上げの際に重要となる。なお、図４（ｃ）ではトークン１１が配置されている箇所を破線で表している。トークン１１の配置箇所を示すイメージ図のため、第１下面規制片８ａ、第２下面規制片８ｃ、第３下面規制片８ｅは図示しておらず、また本実施形態のトークンケースは不透明であるため、本来は図４（ｃ）のようにトークンの配置状態は透視して視ることはできない。
【００４７】
本実施形態のトークンケース１は、前述したように、ケースの一端が断面視において台紙同士が鋭角に折れ曲がる形態である鋭角部２ｆを有するものである。したがって、ピックアップ機構２３ａの爪部２３ｂの開き位置や閉じ位置といったクランプ条件は、通常のカードを貼り込むカード送付用台紙１枚を取り扱う場合と同じであり、カードからトークンへの品種切り替えに際しても、これらの機構的条件を調整する必要はない。仮に、トークンの厚さに合わせた端部（例えば、本実施形態での２ｆ部分と同様な箇所）が３ｍｍ程度もあるような専用のトークンケースを使用した場合には、爪部２３ｂのクランプ条件が大きく変わるため、品種切り替えのたびに、クランプ機構の条件を調整する必要があり、作業負荷や切り替え時間のロスが大きくなる。
【００４８】
（ｉｉ）封筒の準備および移送
また、上記とは異なる封筒供給部２６に封筒３５を積み重ねてセットする。封筒３５の蓋部分であるフラップ３５ａにはあらかじめ、水溶性の糊が塗られており、当該箇所に水を塗付することにより活性化させること、すなわち接着性を発生させることができる。次に、封筒供給部２６からフラップ３５ａが開いた状態の封筒３５が１部、取り出され、第２搬送部２２に搭載され、Ｙ１側に移送される（工程Ｅ）。
【００４９】
（ｉｉｉ）封入物の封入
次に、トークン収納済トークンケース３１、第１封入物３２、および、第２封入物３３を重ねた全体封入物３４が、第１搬送部２１により所定位置まで移送される。続けて、これと対向する位置まで移送された、フラップ３５ａが開いた状態の封筒３５に向けて、封入部２７（押出し部）により、全体封入物３４をまとめてＸ２側からＸ１側に向けて押し出し、封筒３５の内部に封入する（工程Ｆ）。
【００５０】
（ｉｖ）水供給および集積
次に、全体封入物３４の封筒３５への封入を終えてから、コンベア構造の第２搬送部２２により封入済封筒３６をＹ１側に移送する。この移送の間に、封入済封筒３６のフラップ３５ａを水供給部２８に通過させ、フラップ３５ａの糊部３５ｂを活性化させる（工程Ｇ）。その後、フラップ閉部２９によってフラップ３５ａを閉じることにより、封緘が完了し、封緘完了後の封入済封筒３６をＹ１側に配置される集積部３０に集積する（工程Ｈ）。
【００５１】
トークン収納済トークンケース３１を封入した封入済封筒３６は、上記のように封入封緘機２０の最終工程で集積部３０に積み上げられる。また、これ以外にも、複数の封筒を箱詰めして発送したり、箱詰めしたまま保管する等、封入済封筒３６を積み重ねた状態で保管、移送する場合がある。この場合における本実施形態のトークンケースが有する別の利点について説明する。
【００５２】
図５は、トークン収納済トークンケース３１を封入した封入済封筒３６を積み上げた状態を示し、封筒の長手方向に垂直な断面で切ったときの断面図を模式的に示した図である。また、トークンケース３１のみが収納されている模式図であるが、説明をわかりやすくするため、ここに他の封入物３２、３３が封入されている場合の図面への記載を省略する。図５（ａ）は、積み上げる前の封入済封筒３６の断面図であり、図５（ｂ）は、積み上げたときの断面図である。また、図５（ｃ）は、従来技術に係る封入済封筒３６ａについて、図５（ａ）との対比を示す、封入済封筒３６ａの断面図であり、図５（ｄ）は、従来技術に係る封入済封筒３６ａについて図５（ｂ）との対比を示す、積み上げたときの断面図である。
【００５３】
本実施形態のトークンケース１は、図５（ａ）に示すように、フラップ３５ａが左側となるように封筒３５を配置したとき、封筒３５に封入されているトークンケース１の鋭角部２ｆはフラップ３５ａとは反対側の右側に配置されている。すなわち、フラップ３５ａの右端は、必ず一定の厚さが確保されたトークン収納部２の上部に配置される。これを言い換えると、フラップ３５ａが左側となるように封筒３５を配置したとき、封筒３５の右端からフラップ３５ａの右端までの距離の値が、封筒３５の右端から封筒３５に封入されているトークンケース１のトークン収納部２の左端までの距離の値よりも小さいこととなる。なお、これは、図５に即した説明であるが、例えば左側を上方側、右側を下方側とし、左端を上端、右端を下端としてもまったく同様であることは言うまでもない。
【００５４】
このとき、例えば図５（ｂ）が、封入封緘機２０の工程Ｈで集積部３０に集積された封入済封筒３６の断面図であるとした場合、集積部３０に積み上げられた各々の封入済封筒３６は、少なくともフラップ３５ａの右端の厚さが、それよりも右側の封入済封筒３６の厚さとほぼ同等である。よって、各々の封入済封筒３６のフラップ３５ａは、上方に積み重ねられた他の封入済封筒３６の荷重を均等に受ける。したがって、工程Ｇで活性化されたフラップ３５ａの糊部が圧縮され、フラップ３５ａが確実に封筒３５に接着され、どちらか一方の片側に片寄ることなく、均等に積み上げることができる。均等に積み上げ、フラップ３５ａを確実に接着するためには、トークン収納済トークンケース３１を封筒に封入する向きが重要である。
【００５５】
一方、従来型のカードと同様に１枚の平坦なカード送付用台紙の一方の面に、トークン１１を貼り付けたトークンケース１ａを封筒３５に入れた場合の封入済封筒３６ａについて対比検討する。この場合、封入済封筒３６ａの厚さは、トークンの配置箇所のみが厚く、その他の箇所では薄くなっているため、封入済封筒３６ａを積み上げたとき、図５（ｄ）のように、トークン１１が配置されていないフラップ３５ａとは反対の右側に向けて、積み上げた封入済封筒３６ａの束が下方に傾斜すると考えられる。
【００５６】
このような傾斜の影響により、各々の封入済封筒３６ａのフラップ３５ａには、上方に積み重ねられた他の封入済封筒３６ａの荷重が均等には掛かり難い状況となる。また、封入済封筒３６ａが積み上げた際に傾斜することは、フラップの接着において不都合なだけではなく、封入済封筒３６ａを積み上げた状態で箱詰めして保管したり移送する際にも、トークンに荷重が集中してこれを損傷させたり封筒が崩れる等の不具合となり得る。
【００５７】
（ｅ）第１実施形態のトークンケース
以上のように、本開示の第１実施形態のトークンケース１には、好ましくは、略一定厚さの板状部材に保持孔５が形成され、折り曲げられたものである台紙が用いられる。トークンケース１は、当該台紙が折り返されることにより、互いに対向配置される天面部２ａおよび底面部２ｃを有する、トークン収納部２を備える。
【００５８】
また、トークンケース１は、底面部２ｃからトークン収納部２の外部、すなわち第１側面部２ｂから第２側面部２ｄに向かう方向に向けて、底面部２ｃに沿って延設された張出部３と、当該張出部３と折り曲げ可能に隣接する蓋部４と、を備えている。さらに、当該トークンケース１において、天面部２ａは、トークン１１を保持するための保持孔５を有し、蓋部４を張出部３に対して折り曲げたとき、蓋部４は保持孔５の少なくとも一部を覆うことができる。
【００５９】
これにより、トークン１１をトークンケース１に収納した際には、当該トークン１１の表面側が蓋部４により保護され、かつ、裏面側がトークン収納部２によって保護されるため、封筒への封入後の保管、移送中の振動や衝撃に対しても、トークン１１を保護する効果がある。また、天面部２ａおよび底面部２ｃは、互いに離隔して対向配置され、トークン収納部２は、天面部２ａおよび底面部２ｃのそれぞれと隣接し、かつ、互いに離隔して対向配置される第１側面部２ｂおよび第２側面部２ｄとを有する。このため、トークン収納部２は、全体として弾力性、クッション性を有しており、外部の衝撃や振動を吸収することにより、トークン１１の保護効果を一層高めることができる。
【００６０】
トークン収納部２の保持孔５には、トークン１１の天面部２ａの面方向に沿った移動を規制する規制片として、複数の側面規制片８が設けられている。具体的には、第１側面規制片８ｂ、第２側面規制片８ｄおよび第３側面規制片８ｆが設けられている。さらには、これらの規制効果、変形防止効果を高めるために、下方側に延設された第１下面規制片８ａ、第２下面規制片８ｃおよび第３下面規制片８ｅが設けられている。一方、当該保持孔５には、トークン１１の天面部２ａの面方向に垂直な方向に沿った移動を規制する規制片として、保持孔５の外周の輪郭に沿った互いに斜め向かいとなる位置を含む位置関係において複数の表面規制片６が設けられている。
【００６１】
これにより、封入後の封筒状態での保管や移送に伴う振動や衝撃によっても、トークン１１がトークンケース１から脱落することが抑制でき、トークン１１の保護効果や品質維持効果を高めることができる。なお、トークン収納部２に、トークン１１をトークン収納部２に着脱する際の作業性向上のため、作業者や利用者が指を入れるための、保持孔５と連続する取出孔７がさらに設けられていることが好ましい。
【００６２】
トークン収納部２の形成に用いられる板状部材の厚さの値は収納対象のトークン１１の厚さの値以下であり、かつ、天面部２ａから底面部２ｃに至る最大距離の値が、トークン１１の厚さの値以上であることが好ましい。これにより、トークン収納部２の両端からトークン１１の一部が飛び出すことが抑制され、封入後の封筒状態での保管や移送におけるトークン１１の保護効果を一層高めることができるからである。
【００６３】
トークンケース１の組み立て状態における天面部２ａから底面部２ｃに至る最大距離の値は、板状部材の厚さとは無関係に調整できるので、収納するトークンの厚みに関わらず、任意の厚さの板状部材を使用できる。さらには、第１側面規制片８ｂ〜第３側面規制片８ｆの厚さを自在に調節することができる設計のトークンケースのため、様々な厚みのトークンに対応するトークンケースとなる。つまり、本実施形態のトークンケースは、従来からあるカードケース用の封入封緘機を流用し、かつトークンの厚さによらないトークンケースとすることができる。
【００６４】
また、張出部３および蓋部４は、蓋部４が保持孔５の少なくとも一部を覆うように蓋部４を張出部３に対して折り曲げたとき、折り曲げの軸線方向から見ると蓋部４は張出部３に対して鋭角に折り曲げられることが好ましい。このような条件にすることで、トークンケース１の少なくとも一端の厚さを十分に薄くすることができる。よって、封入封緘機において、封筒内にトークンケース１を自動封入する際のピックアップ機構の設定条件を、通常のカード貼りこみ台紙と同条件とすることができる。これにより、カードとトークンの品種切り替えの時間を短縮でき、生産性が向上する。
【００６５】
さらに、フラップ３５ａが上方となるように封筒３５を配置したとき、封筒３５の下端からフラップ３５ａの下端までの距離の値は、封筒３５の下端から、封筒３５に封入されているトークンケース１のトークン収納部２の上端までの距離の値よりも小さいことが好ましい。このような条件にしておけば、フラップに糊付けした後のトークンケース１の封入済封筒３６を積み重ねたときに、フラップ３５ａは上下に配置されるトークンケース１の一定厚さを有するトークン収納部２に挟まれることになり、適度の荷重がフラップ３５ａに掛かることによって、フラップ３５ａの接着が促進される。また、積み重ねた封入済封筒３６が厚さの不均一によって傾斜することがなく、搬送トラブルや保管、移送中の変形、損傷が抑制される。
【００６６】
２．第２実施形態
次に、本開示のトークンケースの第２実施形態について説明する。図６は、第２実施形態のトークンケース１ｂを展開した状態の平面図である。また、図７は、トークンケース１ｂの斜視図である。以下、第１実施形態との相違点を中心にトークンケース１ｂの詳細を説明する。
【００６７】
（ａ）トークンケースの構成
図６に示すように、トークンケース１ｂも第１実施形態のトークンケース１と同様、通常のカード用の送付台紙に使用される紙の一部を立体的に組み立てたものである。
【００６８】
第１実施形態と異なるのは、トークン収納部２ｇにおける取出孔７ａ、７ｂの配置等と、側面規制片、下面規制片の配置等である。取出孔７ａ、７ｂは、第１実施形態では保持孔５の上方側に設けられていたが、本実施形態では、トークン１１の左右の側面が接する箇所、すなわち保持孔５の第１側面部２ｂ側（Ｘ１側）および第２側面部２ｄ側（Ｘ２側）の保持孔５の外周沿いに各々設けられている。
【００６９】
また、トークン１１の左右方向のずれを規制するための規制片が、トークン収納部２ｇの保持孔５の第２側面部２ｄ側および第１側面部２ｂ側の保持孔５の外周沿いに設けられた取出孔７ａ、７ｂのそれぞれの上方および下方に凸部として設けられている。第２側面部２ｄ側の取出孔７ａの上方側（Ｙ２側）には、第４側面規制片８ｈおよび第４下面規制片８ｇが互いに隣接した一つの凸部を形成している。また、取出孔７ａの下方側（Ｙ１側）には、第５側面規制片８ｊおよび第５下面規制片８ｉが互いに隣接した一つの凸部を形成している。同様に、第１側面部２ｂ側の取出孔７ｂの上方側には、第６側面規制片８ｌおよび第６下面規制片８ｋが互いに隣接した一つの凸部を形成している。また、取出孔７ｂの下方側には、第７側面規制片８ｎおよび第７下面規制片８ｍが互いに隣接した一つの凸部を形成している。
【００７０】
さらには、トークン収納部２ｇの保持孔５の下方側（Ｙ１側）には、第８側面規制片８ｐおよび第８下面規制片８ｏが互いに隣接した一つの凸部を形成している。また、保持孔５の上方側（Ｙ２側）には、第９側面規制片８ｒおよび第９下面規制片８ｑが互いに隣接した一つの凸部を形成している。
【００７１】
ここで、第１実施形態の規制片の折り方と同様に、第４側面規制片８ｈの第２側面部２ｄ側の付け根部分を、図６の手前側（Ｚ２側）から台紙を見たときに、一点鎖線沿いに山折りし、第４下面規制片８ｇと第４側面規制片８ｈとの隣接部を破線沿いに谷折りする。これにより、第４下面規制片８ｇと第４側面規制片８ｈとが略直角に折れ曲がり、断面視で略Ｌ字状の構造となる。
【００７２】
上記と同様に、第５側面規制片８ｊ、第６側面規制片８ｌ、第７側面規制片８ｎ、第８側面規制片８ｐ、および、第９側面規制片８ｒのそれぞれを、保持孔５の外周側付け根部分に対して一点鎖線沿いに山折りし、第５下面規制片８ｉ、第６下面規制片８ｋ、第７下面規制片８ｍ、第８下面規制片８ｏ、および、第９下面規制片８ｑのそれぞれを、当該各側面規制片に対して破線沿いに谷折りする。これにより、各下面規制片と各側面規制片とが略直角に折れ曲がり、断面視で略Ｌ字状の構造となる。なお、第４側面規制片８ｈ〜第９側面規制片８ｒおよび第４下面規制片８ｇ〜第９下面規制片８ｑのすべてを側面規制片８と称することができる。
【００７３】
（ｂ）第２実施形態のトークンケース
このようなトークンケース１ｂのトークン収納部２ｇにトークン１１を収納した場合、図７のように、利用者がその左右両側（Ｘ１−Ｘ２側）面に指を差し込むことにより、収納されたトークン１１を容易に取り出すことができる。また、製造工程においても作業者がトークン１１をトークンケース１ｂに収納する作業の作業性が向上する。さらには、トークンケース１ｂは、トークン１１の上下（Ｚ軸方向）、左右（Ｘ軸方向）の４方向について側面規制片により移動を規制する構造である。したがって、シール等で固定することなく、封筒への封入作業および、封入済封筒の保管や移送における振動や衝撃に対し、トークン１１がトークンケース１ｂから脱落する危険性を極力低減させることができる。
【００７４】
３．第３実施形態
続けて、本開示のトークンケースの第３実施形態について説明する。図８は、第３実施形態のトークンケース１ｃを展開した状態の平面図である。また、図９は、トークンケース１ｃの斜視図である。以下、第１、第２実施形態との相違点を中心にトークンケース１ｃの詳細を説明する。
【００７５】
（ａ）トークンの構成
本実施形態のトークン１１ａはカード形状ではなく、平面視すると前方後円墳状に見える、略円柱部分と略直方体部分が結合した形状を備えている。本実施形態のトークン１１ａは、第１、第２実施形態のトークン１１とは外形形状が異なるだけで機能的には同等であるため、詳細の説明は省略する。
【００７６】
（ｂ）トークンケースの構成
図８に示すように、トークンケース１ｃも第１実施形態のトークンケース１と同様、通常のカード用の送付台紙に使用される紙の一部を立体的に組み立てたものである。
【００７７】
第１、第２実施形態と異なるのは、トークン収納部２ｈには取出孔が設けられておらず、側面規制片、下面規制片の配置がトークン１１ａの略直方体部分に対応する側面に設けられていることである。ただし、取出孔をトークン１１ａの略円柱部分や略直方体部分に対応する保持孔５の外周に沿って設けてもよい。
【００７８】
本実施形態における、トークン１１ａの左右方向のずれを規制するための規制片が、トークン収納部２ｈの保持孔５の第２側面部２ｄ側（Ｘ１側）および第１側面部２ｂ側（Ｘ２側）の保持孔５の下方の外周沿いのトークン１１ａの略直方体部分に対応する箇所に設けられている。第２側面部２ｄ側には、第１側面規制片８ｂおよび第１下面規制片８ａが互いに隣接した一つの凸部を形成している。同様に、第１側面部２ｂ側には、第２側面規制片８ｄおよび第２下面規制片８ｃが互いに隣接した一つの凸部を形成している。さらに、保持孔５の下方側（Ｙ１側）には、第３側面規制片８ｆおよび第３下面規制片８ｅが互いに隣接した一つの凸部を形成している。
【００７９】
ここで、第１実施形態の規制片の折り方と同様に、第１側面規制片８ｂの第２側面部２ｄ側の付け根部分を、図８の手前側から台紙を見たときに、一点鎖線沿いに山折りし、第１下面規制片８ａと第１側面規制片８ｂとの隣接部を破線沿いに谷折りする。これにより、第１下面規制片８ａと第１側面規制片８ｂとが略直角に折れ曲がり、断面視で略Ｌ字状の構造となる。
【００８０】
上記と同様に、第２側面規制片８ｄおよび第３側面規制片８ｆのそれぞれを、保持孔５の外周側付け根部分に対して一点鎖線沿いに山折りし、第２下面規制片８ｃおよび第３下面規制片８ｅのそれぞれを、当該各側面規制片に対して破線沿いに谷折りする。これにより、各下面規制片と各側面規制片とが略直角に折れ曲がり、断面視で略Ｌ字状の構造となる。
【００８１】
（ｃ）第３実施形態のトークンケース
トークンケース１ｃのトークン収納部２ｈにトークン１１ａを収納した場合、最後に、図９のように、収納されたトークン１１ａとトークン収納部２ｈとに跨るようにシール９ａを貼り付けている。これによりトークン１１ａが、略直方体部分から略円柱部分に向かう方向（Ｙ２側）にずれてしまうことが抑制される。また、トークンケース１ｃは、トークン１１ａの略直方体部分の３辺において側面規制片により移動を規制する構造であるため、封筒への封入作業および封入済封筒の保管や移送における振動や衝撃に対し、トークン１１ａがトークンケース１ｃから脱落する危険性を低減させることができる。
【符号の説明】
【００８２】
１、１ａ、１ｂ、１ｃ  トークンケース
２、２ｇ、２ｈ  トークン収納部
２ａ  天面部
２ｂ  第１側面部
２ｃ  底面部
２ｄ  第２側面部
２ｅ  糊代部
２ｆ  鋭角部
３  張出部
４  蓋部
４ａ  折線部
５  保持孔
６  表面規制片
７、７ａ、７ｂ  取出孔
８  側面規制片
８ａ  第１下面規制片
８ｂ  第１側面規制片
８ｃ  第２下面規制片
８ｄ  第２側面規制片
８ｅ  第３下面規制片
８ｆ  第３側面規制片
８ｇ  第４下面規制片
８ｈ  第４側面規制片
８ｉ  第５下面規制片
８ｊ  第５側面規制片
８ｋ  第６下面規制片
８ｌ  第６側面規制片
８ｍ  第７下面規制片
８ｎ  第７側面規制片
８ｏ  第８下面規制片
８ｐ  第８側面規制片
８ｑ  第９下面規制片
８ｒ  第９側面規制片
９、９ａ  シール
１１、１１ａ  トークン
１２  表示部
１３  操作ボタン
２０  封入封緘機
２１  第１搬送部
２２  第２搬送部
２３  台紙供給部
２３ａ  ピックアップ機構
２３ｂ  爪部
２４  第１封入物供給部
２５  第２封入物供給部
２６  封筒供給部
２７  封入部（押出し部）
２８  水供給部
２９  フラップ閉部
３０  集積部
３１  トークン収納済トークンケース
３２  第１封入物
３３  第２封入物
３４  全体封入物
３５  封筒
３５ａ  フラップ
３５ｂ  糊部
３６、３６ａ  封入済封筒
【図１】
2020152026.tif 000003
【図２】
2020152026.tif 000004
【図３】
2020152026.tif 000005
【図４】
2020152026.tif 000006
【図５】
2020152026.tif 000007
【図６】
2020152026.tif 000008
【図７】
2020152026.tif 000009
【図８】
2020152026.tif 000010
【図９】
2020152026.tif 000011